(57)【要約】【課題】ボトムハウジングにアッパハウジングを組み付けた状態で電気機器内の他の電気部品に悪影響をあたえることなく、またボトムハウジングからアッパハウジングを取り外した状態での作業性にも優れた電気機器用の配線装置を提供すること。【解決手段】アッパハウジング１１に取り付けられたスイッチ基板１２とボトムハウジングの電気的第２機能部とを結合する電気機器用の配線装置であって、折り畳み部２０を形成するための折れ部を有し、折り畳み部２０の伸縮によって引き延ばし状態と折り畳み状態とを取りうるハーネス１を備えており、ハーネス１の一端をスイッチ基板１２に接続した状態で、ボトムハウジングにアッパハウジング１１を組み付けるとき、ハーネス１が折り畳み状態をとるようにした。【選択図】図２
2007027770.tif 000002
【特許請求の範囲】
【請求項１】
アッパハウジングに取り付けられた電気的第１機能部とボトムハウジングの電気的第２機能部とを結合する電気機器用の配線装置であって、
折り畳み部を形成するための折れ部を有し、前記折り畳み部の伸縮によって引き延ばし状態と折り畳み状態とを取りうるハーネスを備えており、
前記ハーネスの一端を前記電気的第１機能部に接続した状態で、前記ボトムハウジングに前記アッパハウジングを組み付けるとき、前記ハーネスが他から新たな働きを必要とせず、自動的に前記折り畳み状態をとるようにしたことを特徴とする、電気機器用の配線装置。
【請求項２】
請求項１において、前記ボトムハウジングに前記アッパハウジングを組み付けて前記ハーネスが折り畳み状態をとったとき、該ハーネスの折り畳み部を押圧して固定する、押圧面を有する押圧部を備えていることを特徴とする、電気機器用の配線装置。
【請求項３】
請求項２において、前記押圧部は柔軟性材料より形成されていることを特徴とする、電気機器用の配線装置。
【請求項４】
請求項２または請求項３において、前記ハーネスは少なくとも３部の折れ部を有し、該ハーネスの前記電気的第１機能部側の第１折れ部を前記押圧部の近傍に位置させて前記アッパハウジングに定着させる定着手段を有していることを特徴とする、電気機器用の配線装置。
【請求項５】
請求項４において、前記ハーネスの折り畳み部の最下部の一部が被定着部に定着させられる定着手段を有していることを特徴とする、電気機器用の配線装置。
【請求項６】
請求項１から請求項５のいずれか一項に記載の電気機器用の配線装置を備えていることを特徴とする、電気機器。
【請求項７】
アッパハウジングに取り付けられた電気的第１機能部とボトムハウジングの電気的第２機能部とを結合する電気機器用の配線装置に備えられ、折り畳み部を形成するための折れ部を有し、前記折り畳み部の伸縮によって引き延ばし状態と折り畳み状態とを取りうるハーネスであって、
該ハーネスの一端を前記電気的第１機能部に接続した状態で、前記ボトムハウジングに前記アッパハウジングを組み付けるとき、他から新たな働きを必要とせず、自動的に前記折り畳み状態をとるようにしたことを特徴とする、ハーネス。
【請求項８】
請求項７において、前記ハーネスの前記折り畳み部の両端部位に、保護紙を剥がすことにより被接着部に接着させる接着手段が設けられていることを特徴とする、ハーネス。
【発明の詳細な説明】
【技術分野】
【０００１】
本発明は、電気機器用の配線装置および電気機器用の配線装置を備えた電気機器に関するものである。
【背景技術】
【０００２】
例えば、インクジェット式プリンターなどの電気機器は、そのカバーがアッパハウジング及び該アッパハウジングと別体のボトムハウジングから構成されている。前記ボトムハウジングは電気機器の機能を有する電気的機能部を下側から囲って保護する下ケースとしての役割を果たし、他方前記アッパハウジングはボトムハウジングに上側から取り付けられて前記電気的機能部を保護する上ケースとしての役割を果たす。
【０００３】
このような電気機器は、ボトムハウジングによって囲まれた電気的機能部にスイッチを有するスイッチ基板が備え付けられ、アッパハウジングに前記スイッチをＯＮ−ＯＦＦするための押しボタンが外側に突出するように設けられている。つまり、前記ボトムハウジングに前記アッパハウジングを組み付けた状態で、アッパハウジングに設けられた押しボタンを操作することにより、電気的機能部に備え付けられたスイッチを間接的に操作できるようになっている。ところが、ボトムハウジングとアッパハウジングは別体であるため、上ケースとしてのアッパハウジングに経時的に変形が生じた場合には、前記スイッチと前記押しボタンとの相対配置が変わってしまい、押しボタンによるスイッチのＯＮ−ＯＦＦがスムーズに行われなくなることがあった。
【０００４】
そこで、アッパハウジングに直接スイッチ基板を取り付ける構造が考えられる。このような構造ではアッパハウジングに取り付けられたスイッチ基板と、ボトムハウジングによって囲まれた電気的機能部とを接続する配線が必要となる。このような配線は、ボトムハウジングからアッパハウジングを取り外した状態で、ボトムハウジングによって囲まれた電気的機能部とアッパハウジングに取り付けられたスイッチ基板とを接続するだけの一定の長さを有することが、その配線接続作業の点から必要である（特許文献１）。
【０００５】
【特許文献１】実開昭５４−６４２９４号公報
【発明の開示】
【発明が解決しようとする課題】
【０００６】
しかし、この一定の長さを有する配線は、ボトムハウジングにアッパハウジングを組み付けた状態では前記電気的機能部と前記スイッチ基板との距離が縮まる分だけ、余分な長さを有することとなってしまう。その結果、余分な長さの配線は電気機器内で無秩序に広がった状態となってしまう。このように電気機器内で広がった配線は、電気機器内の他の電気部品に電気的な悪影響を及ぼし、特にＥＭＩ試験結果を悪化させて電気機器として充分な性能を引き出せなくする原因の一つとなっていた。
【０００７】
そこで本発明では、ボトムハウジングにアッパハウジングを組み付けた状態で電気機器内の他の電気部品に悪影響をあたえることがなく、またボトムハウジングからアッパハウジングを取り外した状態での作業性にも優れた電気機器用の配線装置および該配線装置を備えた電気機器を提供することを課題とする。
【課題を解決するための手段】
【０００８】
上記課題を解決するため、本発明の第１の態様に係る電気機器用の配線装置は、アッパハウジングに取り付けられた電気的第１機能部とボトムハウジングの電気的第２機能部とを結合する電気機器用の配線装置であって、折り畳み部を形成するための折れ部を有し、前記折り畳み部の伸縮によって引き延ばし状態と折り畳み状態とを取りうるハーネスを備えており、前記ハーネスの一端を前記電気的第１機能部に接続した状態で、前記ボトムハウジングに前記アッパハウジングを組み付けるとき、前記ハーネスが前記折り畳み状態をとるようにしたことを特徴とする。
【０００９】
この特徴によれば、アッパハウジングをボトムハウジングから取り外した場合には、ハーネスは引き延ばし状態をとるため、ハーネスの電気的第１機能部との結合を維持することができるとともに、電気的第１機能部にハーネスを接続する作業を行うことができる充分な作業スペースを確保することが可能である。
【００１０】
また、ボトムハウジングにアッパハウジングを組み付けた状態では、ハーネスは折り畳み状態をとるため、ハーネスが電気機器内で広がらないように、つまり所定の箇所に局在して位置させることができる。従って他の電気部品に悪影響を及ぼす虞がない。すなわち、ハーネスが電気機器内で無秩序に広がっていると該ハーネスによって電気機器内の他の電気部品に電気的な悪影響を及ぼす虞があったが、これを無くすことが可能となる。
【００１１】
つまり、ボトムハウジングにアッパハウジングを組み付けるとき、すなわちハーネスが引き延ばし状態から折り畳み状態をとるとき、該ハーネスは他から新たな働きを必要とせず、自動的に折り畳み状態をとることができるのである。
【００１２】
また、本発明の第２の態様に係る電気機器用の配線装置は、第１の態様において、前記ボトムハウジングに前記アッパハウジングを組み付けて前記ハーネスが折り畳み状態をとったとき、該ハーネスの折り畳み部を押圧して固定する、押圧面を有する押圧部を備えていることを特徴とする。
【００１３】
この特徴によれば、ハーネスが折り畳み状態をとったときに、ハーネスの折り畳み部を押圧して固定する、押圧面を有する押圧部を備えているため、ボトムハウジングにアッパハウジングを組み付けたとき、つまりハーネスが折り畳み状態をとったとき、ハーネスの折り畳み部を押圧部で固定することによって、ハーネスの折り畳み状態をより安定な状態にすることができる。すなわち、ハーネスが折り畳み状態をとっているとき、衝撃などにより折り畳み部の不用意な崩れが生じる虞があったが、ハーネスの折り畳み部を押圧部によって固定することにより、これを無くすことが可能となる。
【００１４】
また、本発明の第３の態様に係る電気機器用の配線装置は、第２の態様において、前記押圧部は柔軟性材料より形成されていることを特徴とする。この特徴によれば、押圧部は柔軟性材料より形成されているため、押圧部がハーネスを押圧するとき剛的にハーネスを押圧することがなく、ハーネスに必要以上の力が加わらなくなり、ハーネスを痛める虞がない。
【００１５】
また、本発明の第４の態様に係る電気機器用の配線装置は、第２または第３の態様において、前記ハーネスは少なくとも３部の折れ部を有し、該ハーネスの前記電気的第１機能部側の第１折れ部を前記押圧部の近傍に位置させて前記アッパハウジングに定着させる定着手段を有していることを特徴とする。
【００１６】
この特徴によれば、ハーネスの電気的第１機能部側の第１折れ部を押圧部の近傍に位置させてアッパハウジングと定着させるため、ハーネスが折り畳み状態をとる場合に、折り畳み部を押圧部の直下位置に位置させ易くなり、押圧部がより確実に折り畳み部を押圧することが可能となる。さらに、折り畳み状態での押圧部に固定されていない第１折れ部から第２折れ部のハーネス部分をより短い長さとすることができ、ハーネスをより安定な状態で固定することが可能となる。
【００１７】
また、本発明の第５の態様に係る電気機器用の配線装置は、第４の態様において、前記ハーネスの前記第１折れ部と前記第１折れ部の次の第２折れ部との間の長さが、前記アッパハウジングから前記押圧部の押圧面までの長さより僅かに長いことを特徴とする。
【００１８】
この特徴によれば、ハーネスの第１折れ部と第２折れ部との間の長さが、アッパハウジングから押圧部の押圧面までの長さより僅かに長いため、ハーネスが折り畳み状態をとる場合に、折り畳み部が押圧部に当たったりして妨害されることがなくなるとともに、押圧部の直下位置にスムーズに位置し易くなり、押圧部がより確実に折り畳み部を押圧することが可能となる。
【００１９】
また、本発明の第６の態様に係る電気機器用の配線装置は、第４または第５の態様において、前記ハーネスの折り畳み部の最下部の一部が被定着部に定着させられる定着手段を有していることを特徴とする。この特徴によれば、ハーネスが折り畳み状態をとる場合に、折り畳み部が押圧部の直下位置に位置しやすくなり、押圧部がより確実にハーネスの折り畳み部を押圧することが可能となる。
【００２０】
また、本発明の第７の態様に係る電気機器は、第１から第６のいずれかの態様の電気機器用の配線装置を備えていることを特徴とする。この特徴によれば、本発明の電気機器用の配線装置を、例えばインクジェット式プリンターの記録装置などの電気機器に備えることができる。
【００２１】
また、本発明の第８の態様に係るハーネスは、第１の態様に係るものであることを特徴とする。この特徴によれば、ハーネスは折り畳み部を形成するための折れ部を有し、該折り畳み部の伸縮によって引き延ばし状態と折り畳み状態とをとることが可能である。また、折り畳み状態をとっている場合には、ハーネスは局在した状態で収納されており、無秩序に広がることがない。
【００２２】
また、本発明の第９の態様に係るハーネスは、第８の態様において、前記ハーネスの前記折り畳み部の両端部位に、保護紙を剥がすことにより被接着部に接着させる接着手段が設けられていることを特徴とする。この特徴によれば、ハーネスをアッパハウジング、被定着部などに接着する際に、接着する作業を容易に行うことができる。
【発明を実施するための最良の形態】
【００２３】
本発明の実施の形態について、図面に基づいて詳しく説明する。  
本発明において、「電気機器」とは、インクジェット式プリンターなどの記録装置、ファックス装置などのボトムハウジングと前記ボトムハウジングと別体のアッパハウジングとを有する電気機器のことである。
【００２４】
図４は、本発明の配線装置に用いられるハーネスを示す斜視図である。  
ハーネス１は、図４に示す如く、４部の折れ部（２１、２２、２３、２４）を有しており、これらの折れ部によって折り畳み部２０を形成することができるようになっている。また、折り畳み部２０を伸縮させることにより、引き延ばし状態と折り畳み状態とをとりうるように構成されている。なお、第１折れ部２１と第２折れ部２２との間の長さｌ１は、後述（図１、図２および図３）するようにアッパハウジング１１から押圧部２の押圧面５までの長さｌ２より、若干長くなるように構成されている。また、ハーネス１の一端である接続部２８は、図示しない電気的機能部と接続することができるように構成されている。さらに、折り畳み部２０の両端部位の第１接着部１４および第２接着部１５には、両面テープ等の接着部材が取り付けられており、保護紙（図示せず）を剥がすことにより他の部材に接着することができるようになっている。
【００２５】
すなわちこのような構成にすることによって、ハーネス１は折り畳み部２０の伸縮によって、引き延ばし状態と折り畳み状態とをとることができる。引き延ばし状態をとっている場合には、ハーネス１はある一定の長さまで伸張することが可能であり、また折り畳み状態をとっている場合には、ハーネス１は折り重なり局在した箇所に、つまり無秩序に広がることなく所定の箇所に位置させることが可能である。さらに、折り畳み部２０の両端部位に接着部１４および１５を備えているため、ハーネス１を被接着部に接着させて固定する作業を容易に行うことが可能である。  
勿論、ハーネスはこのような形態に限られるものではなく、例えば、折れ部が３部、もしくは５部以上のものでも良いことは言うまでもない。
【００２６】
図５は、本発明の配線装置を備えた電気機器としてのインクジェット式プリンターの斜視図である。図６は、本発明の配線装置を備えた電気機器としてのインクジェット式プリンターのボトムハウジングからアッパハウジングを取り外した状態を示す斜視図である。
【００２７】
図５に示す如く、電気機器としてのインクジェット式プリンター４０は、下ケースとしてのボトムハウジング４２と、上ケースとしてのアッパハウジング１１とに覆われており、着脱部４３によってアッパハウジング１１をボトムハウジング４２の上側から組み付け、取り外すことができるように構成されている。また、アッパハウジング１１の内面には、スイッチを具備したスイッチ基板１２が取り付けられているとともに、スイッチの押しボタン３２をアッパハウジング１１の表面に突出させる孔（図示せず）が設けられている。
【００２８】
そして、インクジェット式プリンター４０の後部に設けられた給紙部４４から記録紙（図示せず）が給送されるようになっており、給送された記録紙は紙送りローラ（図示せず）によって搬送される。この搬送中にキャリッジ４６によって記録紙上に印刷を行うようになっている。キャリッジ４６は、キャリッジガイド軸４７（図６）に沿って、往復動することができるように構成されている。記録後、記録紙は排紙ローラ（図示せず）によってインクジェット式プリンター４０の前面に設けられた排紙部４５から排紙される。  
勿論、電気機器はインクジェット式プリンターに限られるものではなく、その他の記録装置、ファックス装置などでも良い。
【００２９】
次に、インクジェット式プリンター４０のボトムハウジング４２からアッパハウジング１１を取り外した状態を説明する。  
図６に示す如く、キャリッジ４６、キャリッジガイド軸４７などの記録構成要素はボトムハウジング４２によって囲まれており、これら記録構成要素を用いて上述したように記録紙に印刷を行うことができるようになっている。また、アッパハウジング１１の内面にはスイッチ（図示せず）を備えたスイッチ基板１２と、押圧部２が取り付けられている。また、ハーネス１（図４）は、図６に示す如く、その一端の接続部２８がスイッチ基板１２と接続している。さらにスイッチ基板１２側の第１折れ部２１を押圧部２の近傍に位置させて、ハーネス１の第１接着部１４とアッパハウジング１１とが接着している。なおハーネス１は、図６に示した状態では折り畳み部２０の伸張によって引き延ばし状態をとっており、さらに第２接着部１５で定着部３１と接着して固定されている。
【００３０】
このような構成により、ハーネス１は第１接着部１４でアッパハウジング１１と第２接着部１５で定着部３１と接着して固定されて、その間の折り畳み部２０が伸縮することによって、引き延ばし状態と折り畳み状態とをとることができるようになっている。つまりハーネス１は、図５の状態では折り畳み状態をとっており、図６の状態では引き延ばし状態をとっているものである。
【００３１】
また、ハーネス１は押圧部２の近傍に第１接着部１４を設けて、この第１接着部１４でアッパハウジング１１と、さらに第２接着部１５で定着部３１と接着して固定されているため、ハーネス１が折り畳み状態をとる場合に折り畳み部２０を押圧部２の直下位置に位置させ易くすることが可能となり、ハーネス１の引き延ばし状態から折り畳み状態への移行をスムーズに行うことができるとともに、押圧部２がハーネスの折り畳み部２０をスムーズに押圧することが可能となる。
【００３２】
次に、ハーネス１を備えた電気機器用の配線装置の動作について説明する。  
図１は本発明の一実施形態に係る電気機器用の配線装置を備えた電気機器の一部であってアッパハウジングが下降している状態を示す要部正面図である。図２は本発明の一実施形態に係る電気機器用の配線装置を備えた電気機器の一部であってアッパハウジングがさらに下降している状態を示す要部正面図である。図３は本発明の一実施形態に係る電気機器用の配線装置を備えた電気機器の一部であってボトムハウジングにアッパハウジングを組み付けた状態を示す要部正面図である。
【００３３】
図１、図２または図３に示す如く、アッパハウジング１１にはスイッチ基板１２が取り付けられているとともに、スイッチ基板１２のスイッチの押しボタン３２が突出するための孔（図示せず）が設けられている。また、ハーネス１は４部の折れ部（２１、２２、２３、２４）を有しているとともに、その一端の接続部２８（図４）がスイッチ基板１２と接続している。さらに押圧部２の近傍に第１折れ部２１を位置させて第１接着部１４でアッパハウジング１１と、また折り畳み部２０の下部の第２接着部１５で定着部３１と接着している。第１折れ部２１と第２折れ部２２との間の長さｌ１は、アッパハウジング１１から押圧部２の押圧面５までの長さｌ２より若干長く、かつハーネス１の折り畳み部２０が押圧された状態、つまりボトムハウジングにアッパハウジングを組み付けた状態（図３）において撓みが生じない長さとなるように構成されている。
【００３４】
第１折れ部２１の成す第１角ａ及び第２折れ部２２の成す第２角ｂは、図２及び図３に示す状態において、ほぼ９０°となるように構成されている。なお、第３折れ部２３の成す第３角ｃ及び第４折れ部２４の成す第４角ｄは、鈍角、鋭角のどのような角度（図１、図２又は図３）をも有すことができるように構成されている。
【００３５】
押圧部２は、押圧材ホルダー３と押圧材４から形成されており、押圧材４は押圧材ホルダー３によって位置固定されている。また、押圧材４は、スポンジなどの柔軟性材料より形成されており、ハーネス１を剛的ではなく柔軟に固定することができるように構成されている。なお、押圧部２は、ハーネス１を押圧し固定する場合において、ハーネス１を確実に押圧できる長さｌ２となるよう構成されており、その長さｌ２はハーネス１の第１折れ部２１と第２折れ部２２との間の長さｌ１より若干短いものである。
【００３６】
このように構成された配線装置は、以下の如く作動する。特に、ボトムハウジング（図示せず）にアッパハウジング１１を組み付けるとき、つまりハーネスが引き延ばし状態から折り畳み状態へと移行するときについて説明する。  
まず、図１に示す状態からアッパハウジング１１が矢印Ａ方向に移動するにつれ、ハーネス１の第２角ｂ、第３角ｃおよび第４角ｄは徐々にその角度を小さくしていく。その後、図２に示す如く、折り畳み部２０が押圧部２の直下位置に位置して、折り畳み部２０の最下部が定着部３１に接触し、第１角ａ及び第２角ｂがほぼ９０°となるとともに、第３角ｃ及び第４角ｄがより鋭角となっていく。更に、アッパハウジング１１が矢印Ａ方向に移動すると押圧部２の押圧面５が折り畳み部２０を押圧し始め、図３に示す如くハーネス１は折り畳み状態をとり、折り畳み部２０が押圧部２によって押圧されて所定の位置に固定される。このとき、第１角ａ及び第２角ｂはほぼ９０°となっており、押圧されていないハーネス部分（第１折れ部２１と第２折れ部２２の間）には、撓みが生じることがない。
【００３７】
すなわち、ハーネス１はアッパハウジング１１の矢印Ａ方向への移動とともに伸張された引き延ばし状態から折り畳まれた折り畳み状態へと、他からの新たな働きを必要とせずに移行していき、所定の箇所に局在して固定されるものである。さらに、ハーネス１が折り畳み状態をとったときに押圧部２によって折り畳み部２０が押圧されることによって、より安定した折り畳み状態となって固定される。
【００３８】
なお、ボトムハウジングからアッパハウジングを取り外すときには上述した動作と逆に作動して、すなわちハーネスが折り畳み状態から引き延ばし状態へと移行するようになっている。
【００３９】
勿論、本発明は上記実施の形態に限定されるものではなく、種々の変形が可能である。例えば、押圧部を設けなくすることも可能である。しかし、ハーネスの折り畳み状態をより一層安定化させるためにも、本実施の形態の如く設けた方が好ましい。
【００４０】
このように、ボトムハウジングにアッパハウジングを組み付けるとき、ハーネスは引き延ばし状態から折り畳み状態へと移行し所定の位置に局在して固定することが可能となる。さらにハーネスが折り畳み状態をとる場合において、押圧部を設けて折り畳み部を押圧することにより、ハーネスの折り畳み状態をより一層安定な状態とすることが可能である。従ってハーネスは、アッパハウジングとボトムハウジングとを組み付けた状態の電気機器内において、無秩序に広がることがなく他の電気部品に悪影響を及ぼす虞がない。
【図面の簡単な説明】
【００４１】
【図１】本発明の一実施形態に係る電気機器用の配線装置を備えた電気機器の一部であってアッパハウジングが下降している状態を示す要部正面図。
【図２】本発明の一実施形態に係る電気機器用の配線装置を備えた電気機器の一部であってアッパハウジングがさらに下降している状態を示す要部正面図。
【図３】本発明の一実施形態に係る電気機器用の配線装置を備えた電気機器の一部であってボトムハウジングにアッパハウジングを組み付けた状態を示す要部正面図。
【図４】本発明の配線装置に用いられるハーネスを示す斜視図。
【図５】本発明の配線装置を備えた電気機器としてのインクジェット式プリンターの斜視図。
【図６】本発明の配線装置を備えた電気機器としてのインクジェット式プリンターのボトムハウジングからアッパハウジングを取り外した状態を示す斜視図。
【符号の説明】
【００４２】
１  ハーネス、  ２  押圧部、  ３  押圧材ホルダー、  ４  押圧材、
５  押圧面、  １１  アッパハウジング、  １２  スイッチ基板、
１４  第１接着部、  １５  第２接着部、  ２０  折り畳み部、
２１  第１折れ部、  ２２  第２折れ部、  ２３  第３折れ部、  ２４  第４折れ部、
２８  接続部、  ３１  定着部、  ３２  スイッチの押しボタン、
４０  インクジェット式プリンター、  ４２  ボトムハウジング、
４３  着脱部、  ４４  給紙部、  ４５  排紙部、  ４６  キャリッジ、
４７  キャリッジガイド軸、
ａ  第１角、  ｂ  第２角、  ｃ  第３角、  ｄ  第４角、
Ａ  アッパハウジングをボトムハウジングに組み付けるときのアッパハウジングの移動方向
ｌ１  ハーネスの第１折れ部と第２折れ部との間の長さ
ｌ２  アッパハウジングから押圧部の押圧面までの長さ
【図１】
2007027770.tif 000003
【図２】
2007027770.tif 000004
【図３】
2007027770.tif 000005
【図４】
2007027770.tif 000006
【図５】
2007027770.tif 000007
【図６】
2007027770.tif 000008